(57)【要約】【課題】宝くじや馬券等の札状物を収納して祈願できる神棚を提供すること。【解決手段】神棚１は、神棚本体１０と前方収納部２０とからなる。神棚本体１０は、廊下部３ａを有する床板３と、床板３上に配置する神札収納室１１とを備える。前方収納部２０は、神棚本体１０と第１の仕切り板２４で区分けされるとともに、第２の仕切り板２５で床板側に配置する物品収納部２６と前方に配置する賽銭部２７とを備える。物品収納部２６は、宝くじや馬券等の札状物あるいはキーやキーホルダ等の小間物さらには神仏用器材を、上方開口部より収納可能に形成する。賽銭部２７は、開閉蓋２８上に配置する投入部２９と開閉蓋２８の下方に配置する貯金部３０とを有している。【選択図】図３
0003107344.tif 000002
【実用新案登録請求の範囲】
【請求項１】
神札を収納する神札収納室と、前記神札収納室の下面に配置するとともに前記神札収納室の表面前方に広がる床板とを有する神棚であって、
前記神札収納室の表面前方に物品収納部を配設することを特徴とする神棚。
【請求項２】
前記物品収納部が前記床板の前方に配置されていることを特徴とする請求項１記載の神棚。
【請求項３】
前記物品収納部と前記床板との間に、賽銭部が配置されていることを特徴とする請求項１又は２記載の神棚。
【請求項４】
前記床板の上方には鈴が配置されていることを特徴とする請求項３記載の神棚。
【請求項５】
前記床板の前方に賽銭部が配置され、前記床板と前記賽銭部との間に前記物品収納部が配置されていることを特徴とする請求項１記載の神棚。
【請求項６】
前記賽銭部が投入部と前記投入部の下方に配置される賽銭貯金部とで構成され、前記投入部が前記賽銭貯金部に対して開閉可能に配置されていることを特徴とする請求項５記載の神棚。
【請求項７】
前記投入部は、前記賽銭貯金部と連通する投入口を有していないことを特徴とする請求項６記載の神棚。
【請求項８】
前記物品収納部に収納する物品が、札状物であることを特徴とする請求項１,２,３,４又は５のいずれかに記載の神棚。
【請求項９】
前記物品収納部に収納する物品が、小間物であることを特徴とする請求項１,２,３,４又は５のいずれかに記載の神棚。
【考案の詳細な説明】
【技術分野】
【０００１】
本考案は、家庭用に使用するためにコンパクトに構成された木製の神棚に関する。
【背景技術】
【０００２】
一般に神棚は、社寺を模して木製で形成され、家庭内の所定の場所に載置されている。そして、神札や、御守り等の御札を収納して家内安全・商売繁盛・合格祈願等、それぞれの願い事を祈願することとなっていた。
【０００３】
従来の神棚は、特許文献１、特許文献２によって知られている。特許文献１による神棚は、神札の損傷を防止するために、神札収納室の上部側に開閉可能な神札挿入用開口を形成して、神札を神札収納室の前面側に形成する開閉扉からでなく、上部の神札挿入用開口から収納するように構成されていた。また、特許文献２による神棚は、神棚の縁床に賽銭箱を配設して賽銭を投入可能とするとともに、神棚本体部の下方に台座を設け、台座内に形成した箱状部を貯金箱として賽銭箱に連通するように構成されていた。
【特許文献１】特開平９−２８９９４３号公報（２〜４頁、図３参照）
【特許文献２】登録実用新案第３０７８７１７号公報（５〜６頁、図１参照）
【考案の開示】
【考案が解決しようとする課題】
【０００４】
近年、一攫千金を狙うために宝くじを購入する人が増えている。宝くじは当選の確立が低いことから、神頼みとする気持ちが強く、購入したものの宝くじを保管する場所に苦慮している。そのため、購入した宝くじをできるだけ神頼みできる場所に保管することが、購入した人の要望となっていた。
【０００５】
しかし、従来の神棚では、特許文献１で示すように、神札を損傷しないで収納したり、また、特許文献２で示すように、賽銭箱に賽銭を投入したりして祈願達成を図ることはできていたものの、宝くじを専用に収納する部位は構成されていなかった。
【課題を解決するための手段】
【０００６】
本考案は、上述の課題を解決するものであり、宝くじ等の札状物あるいは小間物等の物品を専用に収納できる神棚を提供することを目的とするものであり、そのために、本考案に係る神棚は、以下のように構成するものである。すなわち、
請求項１記載の考案では、神札を収納する神札収納室と、前記神札収納室の下面に配置するとともに前記神札収納室の表面前方に広がる床板とを有する神棚であって、
前記神札収納室の表面前方に物品収納部を配設することを特徴とするものである。
【０００７】
請求項２記載の考案では、前記物品収納部が前記床板の前方に配置されていることを特徴としている。
【０００８】
請求項３記載の考案では、前記物品収納部と前記床板との間に、賽銭部が配置されていることを特徴としている。
【０００９】
請求項４記載の考案では、前記床板の上方には鈴が配置されていることを特徴としている。
【００１０】
請求項５記載の考案では、前記床板の前方に賽銭部が配置され、前記床板と前記賽銭部との間に前記物品収納部が配置されていることを特徴としている。
【００１１】
請求項６記載の考案では、前記賽銭部が投入部と前記投入部の下方に配置される賽銭貯金部とで構成され、前記投入部が前記賽銭貯金部に対して開閉可能に配置されていることを特徴としている。
【００１２】
請求項７記載の考案では、前記投入部は、前記賽銭貯金部と連通する投入口を有していないことを特徴としている。
【００１３】
請求項８記載の考案では、前記物品収納部に収納する物品が、札状物であることを特徴としている。
【００１４】
請求項９記載の考案では、前記物品収納部に収納する物品が、小間物であることを特徴としている。
【考案の効果】
【００１５】
本考案に係る神棚では、請求項１記載の考案によれば、神札収納室を載置するとともに神札収納室の前面に広がる床板を有している。神札収納室の前方に物品収納部が配置していることから、例えば、宝くじや馬券等の札状物や小間物等の物品を物品収納部に収納して、神札収納室に向かって合掌することによって、宝くじや馬券の当選を祈願や小間物の紛失防止に役立つことができる。
【００１６】
請求項２記載の考案によれば、物品収納部を床板の前方に配置することによって、床板のスペースを広くすることができ、神社に参拝する気分で祈願をできるとともに、床板を多様に利用することができる。
【００１７】
請求項３記載の考案によれば、物品収納部と床板との間に賽銭部を配置することから、賽銭部に賽銭を投入することによって、物品収納部に収納した札状物、例えば宝くじや馬券等の当選を同時に祈願することができる。
【００１８】
請求項４記載の考案によれば、物品収納部に、例えば、宝くじや馬券等の札状物を収納して、床板の上方に配置する鈴を鳴らすことによって、気持ちをさらに高めることができる。
【００１９】
請求項５記載の考案によれば、賽銭部と床板との間に物品収納部を配置することから、賽銭部に賽銭を投入することによって、物品収納部に収納した札状物、例えば宝くじや馬券等の当選を同時に祈願することができる。また、物品収納部に収納する、例えば、宝くじを賽銭部の後方に置くことになるから、他の人が祈願する際に、宝くじを隠すことができることとなって、盗難防止とすることができる。さらに、賽銭部を床板より前方に配置することによって床板自体のスペースを広く取ることができ、余裕のある神棚を提供することができる。
【００２０】
請求項６記載の考案によれば、賽銭は賽銭部の投入部から投入して賽銭貯金部に貯ためておくことができる。そして投入部を開放することによって、貯まった賽銭を取り出すことができる。そのため、本考案の神棚は、宝くじや馬券等の札状物を収納して当選祈願することができるとともに、貯金箱としても利用できることから、充実した楽しみを持つことができる。
【００２１】
請求項７記載の考案によれば、投入部には賽銭貯金部に連通する投入口を形成していないことから、賽銭を投入しなくてもよく、直接、開閉蓋を開いて賽銭貯金部に投入することもできる。
【００２２】
請求項８乃至９記載の考案によれば、物品収納部に、宝くじや馬券等の札状物、あるいはキーや小間物を収納できるように形成されていることから、物品収納部に物品を収納することによって、物品に対する祈願を行うことができるとともに物品の紛失防止に役立つことができる。
【考案を実施するための最良の形態】
【００２３】
次に、本考案における神棚の一形態を図面に基づいて説明する。なお、以下の説明にあたっては、神棚の神札収納物が配置されている側を後方又は奥側といい、拝礼する側（図２における右側）を前方又は手前側という。
【００２４】
図１〜３は、第１の形態による神棚１を示すものであり、神札Ｇを収納する神札収納室１１が１箇所に配置された一社タイプを示すものである。神棚１は、床板３と床板３の上方部位に配置された神棚本体１０と、床板３の下方部位に配置された台座部５と、床板３（台座部５）の前方に配置された前方収納部２０とを備えて構成されている。前方収納部２０は、上部を開口して上部から物品を収納する物品収納部２６と賽銭を投入可能な賽銭部２７とを備えている。
【００２５】
神棚本体１０は、床板３の奥側に配置された神札収納室１１と、床板３周縁部上に、正面中央部を除いて床板３を囲むように立設する高欄１２とを備えている。神札収納室１１上には屋根部１３が形成され、前部に開閉扉１４が配置されている。床板３は、神札収納室１１の前方に広がるような廊下部３ａを形成している。
【００２６】
屋根部１３は、前方に向かって下傾する前屋根部１３１と、後方に向かって下傾する後屋根部１３２に構成され、後屋根部１３２を開閉可能に形成することによって、神札Ｇを収納することができ、後屋根部１３２から収納する神札Ｇは神札収納室１１に収納されることとなる。
【００２７】
前屋根部１３１の前端部には、床板３に向かって紐１５と鈴１６が吊下されている。
【００２８】
前方収納部２０は、底壁部２１と側壁部２２と前壁部２３と、神札本体１０と前後方向で区分けする第１の仕切り板２４とを有して構成され、前後方向の中間部で第２の仕切り板２５を、第１の仕切り板２４と平行に配置することによって、後部に物品収納部２６、前部に賽銭部２７を形成する。
【００２９】
従って、物品収納部２６は、床板３の廊下部３ａの前方で廊下部３ａに隣接して配置され、底壁部２１と側壁部２２及び第１の仕切り板２４、第２の仕切り板２５とに囲まれ、神札収納室１１に向かって左右方向に長尺状に形成するとともに上部を開口した箱状に形成されている。物品収納部２６には、宝くじや馬券等の札状物Ｔ、あるいはキーやキーホルダ又はアクセサリ等の小間物や神仏用器材等を収納可能に形成している。
【００３０】
賽銭部２７は、底壁部２１と側壁部２２と前壁部２３及び第２の仕切り板２５に囲まれるとともに、上部に開閉蓋２８を配置して開閉蓋２８上に賽銭Ｃを投入するための投入部２９と、投入部２９の底部に形成された投入連絡口２９１を介して連通する貯金部３０とを有して形成されている。開閉蓋２８は、実施形態においては、前方部の一端で側壁部２２の上部で軸支されることによって、上下方向に開閉可能に配置されているが、側壁部２２あるいは前壁部２３に軸支することによって、左右方向に開閉可能としてもよい。
【００３１】
なお、図４に示すように、前方収納部２０Ａの賽銭部２７Ａにおいて、開閉箱２８Ａに形成する投入連絡口を塞いで投入部２９と貯金部３０とを連通しないように形成してもよい。この場合、開閉蓋２８Ａを開いて貯金部３０に直接賽銭を投入することもできる。
【００３２】
次に、上記のように構成された神棚１の作用について説明する。
【００３３】
神札Ｇは、図３に示すように屋根部１３の後屋根部１３２を開いた後、後屋根部の開口部から神札収納室１１内に収納する。
【００３４】
宝くじ又は馬券等の札状物Ｔは、物品収納部２６の上部開口部より物品収納部２６内に収納する。この物品収納部２６には、キーやキーホルダあるいはアクセサリ等の小間物を収納して紛失防止とすることもできる。
【００３５】
賽銭Ｃは、賽銭部２７の投入部２９より投入して貯金部３０で貯金される。貯金部３０の賽銭Ｃを取出す際には、図５に示すように、開閉蓋２８を上方に開くことによって、中の賽銭Ｃを取り出すことができる。
【００３６】
このように、宝くじや馬券等の札状物Ｔを収納したり賽銭Ｃを投入したりした後、紐１５を引くことによって、鈴１６を鳴らして祈願する。
【００３７】
神棚の第２の形態は、図６に示すように、前方収納部２０Ｂにおいて、物品収納部２６Ｂと賽銭部２７Ｂとを第１の形態に対して逆に配置したものである。つまり、図６〜７に示すように、神棚本体１０の前方に配置された前方収納部２０Ｂは、底壁部２１Ｂと側壁部２２Ｂと前壁部２３Ｂと、神棚本体１０と区分けされる第１の仕切り板２４Ｂとに囲まれるように構成されている。そして、前後方向の中間部で第２の仕切り板２５Ｂを、第１の仕切り板２４Ｂと平行に配置することによって、後部に賽銭部２７Ｂ、前部に物品収納部２６Ｂを形成する。
【００３８】
従って、賽銭部２７Ｂは、床板３の廊下部３ａの前方で廊下部３ａに隣接して配置され、底壁部２１Ｂと第１の仕切り板２４Ｂと第２の仕切り板２５Ｂと両側壁部２２Ｂとに囲まれている。また、上部に開閉蓋２８Ｂを配置して開閉蓋２８Ｂ上に賽銭Ｃを投入するための投入部２９Ｂと、投入部２９Ｂの底部に形成された投入連絡口２９１Ｂを介して連通する貯金部３０Ｂとを有して形成されている。開閉蓋２８Ｂは、床板３一端で蝶番で支持されることによって、上下方向に開閉可能に配置されている。
【００３９】
物品収納部２６Ｂは、底壁部２１Ｂと側壁部２２Ｂと前壁部２３Ｂに囲まれるとともに、上部が開口され、宝くじや馬券等の札状物Ｔ、あるいはキーやキーホルダ又はアクセサリ等の小間物や神仏用器材等を収納可能に形成されている。
【００４０】
なお、図８に示すように、前方収納部２０Ｄにおいて、第２の仕切り板をなくして、賽銭部２７Ｄの貯金部３０Ｄと物品収納部２６Ｄとを連通してもよい。つまり、前方収納部２０Ｄは、底壁部２１Ｄと側壁部２２Ｄと前壁部２３Ｄと第１の仕切り板２４Ｄに囲まれて形成されることとなる。従って、この場合、賽銭部２７Ｄの投入部２９Ｄから投入された賽銭Ｃと、物品収納部２６Ｄの上方開口部から収納された札状物Ｔとは、同じ収納部内に収納される。
【００４１】
さらに別の形態では、図９に示すように、側壁部２２Ｄの一部を開口して、図６における賽銭部２７Ｂの貯金部３０Ｄを、投入部２９Ｄの下方内に開口部を通って入出できるように、移動可能な箱体貯金部３１として形成することもできる。
【００４２】
同様に、図１０に示すように、神棚本体１０に隣接する物品収納部２６と物品収納部２６の前方に配置する賽銭部２７を備える第１の形態の変形として、賽銭部２７内に出入可能な箱体貯金部３２を形成して、賽銭部２７内に移動可能に構成してもよい。
【００４３】
さらに、図１１に示すように、神棚収納室１１を１社タイプでなく、中央の神棚収納室１１Ａに加えて、左右両側に配置する左神棚収納室１１Ｂ、右神棚収納室１１Ｃを備えた３社タイプにすれば、豪華な神棚１Ａを提供することができる。この場合、前方収納部２０は、上記に示した各形態のものを組み合わせることができる。
【００４４】
また、簡単な神棚としては、特に宝くじや馬券等の札状物を収納してその当選を祈願するために、前方収納部２０を廃止して、物品収納部２６だけを床板３内に形成することもできる。
【００４５】
上述のように、実施形態の神棚では、神棚本体１０の前方に前方収納部２０を配置して、それぞれ物品収納部２６と賽銭部２７と並設するように構成していることから、宝くじや馬券等の札状物Ｔを物品収納部２６に収納することによって、宝くじの当選を神頼みすることができる。また、物品収納部２６に、キーやキーホルダ等の小間物を収納すれば、紛失防止とすることができる。さらに、神仏用器材を収納すれば、飾り付けたり、補修したりすることを即座に行うことができる。
【００４６】
さらに、神札収納室１１の前部に広がる廊下部３ａは、前方収納部２０を前方に配置することから、スペースを有して余裕のある神棚１として意識付けられ参拝意欲を向上できる。
【図面の簡単な説明】
【００４７】
【図１】本考案による第１の形態の神棚を示す正面図である。
【図２】図１の神棚における要部を示す一部斜視図である。
【図３】図１の神棚を示す一部側面断面図である。
【図４】図２における要部を示す一部側面断面図である。
【図５】図２における神棚の開閉蓋を開いた状態を示す一部斜視図である。
【図６】本考案の第２の形態の神棚を示す一部斜視図である。
【図７】同要部を示す一部側面断面図である。
【図８】図７の神棚における前方収納部の別の形態を示す一部側面断面図である。
【図９】図６の形態の神棚における摺動式賽銭部を示す斜視図である。
【図１０】図２の形態の神棚における摺動式賽銭部を示す側面断面図である。
【図１１】３社タイプの神棚を示す正面図である。
【符号の説明】
【００４８】
１、神棚
３、床板
３ａ、廊下部
５、台座部
１０、神棚本体
１１、神棚収納室
２０、前方収納部
２４、第１の仕切り板
２５、第２の仕切り板
２６、物品収納部
２７、賽銭部
２８、開閉蓋
２９、投入部
３０、貯金部
【図１】
0003107344.tif 000003
【図２】
0003107344.tif 000004
【図３】
0003107344.tif 000005
【図４】
0003107344.tif 000006
【図５】
0003107344.tif 000007
【図６】
0003107344.tif 000008
【図７】
0003107344.tif 000009
【図８】
0003107344.tif 000010
【図９】
0003107344.tif 000011
【図１０】
0003107344.tif 000012
【図１１】
0003107344.tif 000013